(57)【要約】      （修正有）【課題】石油生産基地、海中通信システム、海中ポンピング場等に関連付けられた電子機器又は計器モジュール等の多様な種類の設備を海中環境で保持するための支持システム又は取付けシステムを提供する。【解決手段】モジュラー式ベースフレーム１２並びに多様な構成要素を支持するためのモジュラーベースフレームへの選択的な取付け用及び水中ケーブルへの取付け用の複数のモジュラー式上部構造装置１０Ａを含むモジュラー式海中設備アセンブリである。モジュラー式ベースフレームは、ベースフレームの外周を形成するフレーム周辺部４６と、１つ又は複数の方向でフレーム周辺部の対向する部分の間で伸長する複数のクロスバー４８とを含む。フレーム部材及びクロスバーは、それぞれが、考えられる複数の異なる構成でベースフレームにアセンブリの選択されたモジュラー式装置を取り付けるための複数の接続ポイントを有する少なくとも上面を有する。【選択図】図１Ａ
2015208219.tif 000002
【特許請求の範囲】
【請求項１】
モジュラー式ベースフレームと、
２つ以上のモジュラー式上部構造装置の考えられる複数の異なる構成での前記モジュラー式ベースフレームへの選択的な取付け用に構成された複数のモジュラー式上部構造装置であって、各モジュラー式上部構造装置は水中システムのそれぞれの構成部品の支持または水中システムのそれぞれの構成部品への取付けのための取付け装置と、前記ベースフレームの前記上面への取付けのために構成されたベースマウントとを備える、複数のモジュラー式上部構造装置と、
前記ベースフレームへの取付けのために構成され、前記ベースフレーム上で前記上部構造装置を封入する周辺リムを有する、トロール網に抵抗性がある形状のカバー部材と、
前記ベースフレームの外周を形成するフレーム部材と、１つまたは複数の方向で前記フレーム部材の対向する部分の間で伸長する複数のクロスバーとを備える前記モジュラー式ベースフレームであって、前記フレーム部材およびクロスバーは、それぞれが、選択されたモジュラー式上部構造装置を考えられる複数の異なる構成で前記ベースフレームに取り付けるための複数の接続ポイントを有する少なくとも上面を有し、前記フレーム部材および前記クロスバー上の前記接続ポイントがともにかつ独立して、異なるサイズの接続ポイントの、かつ異なる数の接続ポイントを備えた複数のアレイを形成する、前記モジュラー式ベースフレームと、
それぞれのベースマウント上の接続ポイントのアレイに一致するサイズの前記モジュラー式ベースフレーム上での任意の選択されたアレイの接続ポイントとの位置合わせのために構成された接続ポイントの前記アレイを含む前記それぞれのモジュラー式上部構造装置の前記各ベースマウントと、
前記それぞれのベースマウントの位置合わせされた接続ポイント、および前記ベースフレーム上の接続ポイントの前記選択された一致するアレイを介した、選択された上部構造装置のそれぞれのベースマウントの前記ベースフレームへの取付けのために構成された複数の固締具と
を備えるモジュラー式海中設備アセンブリ。
【請求項２】
前記ベースフレーム上の前記接続ポイントが、ねじ切りされた取付け穴またはねじ切りされていない取付け穴を備え、前記上部構造装置上の前記接続ポイントが前記取付け穴との位置合わせのための開口部を備え、前記固締具がネジ、ボルト、ピン、釘、およびリベットから成る前記グループから選択される、請求項1に記載のアセンブリ。
【請求項３】
前記ベースフレームが、側部部分および端部部分を有する矩形の周辺フレーム部材を有し、前記クロスバーが、前記フレームの対向する端部部分間で伸長する少なくとも２本の第１のクロスバー、および前記フレームの対向する側部部分の間で伸長し、交差点で前記第１のクロスバーと交差する少なくとも１本の第２のクロスバーを備える、請求項１に記載のアセンブリ。
【請求項４】
接続ポイントが、前記周辺フレームの回りで、かつ各クロスバーに沿って均等にあけられた間隔で設けられる、請求項３に記載のアセンブリ。
【請求項５】
所定の第１の距離を相隔てられた２本の第１のクロスバーがあり、それぞれが前記ベースフレームの前記それぞれの隣接する側部部分から所定の第２の距離間隔をあけられ、前記第１の距離が前記第２の距離と異なり、前記上部構造装置の少なくともいくつかが、前記第１の距離分相隔てられた接続ポイントを備えた取付けベースを有し、前記上部構造装置の少なくともいくつかが、接続ポイントが前記第２の距離分相隔てられた接続ポイントを備えた取付けベースを有する、請求項４に記載のアセンブリ。
【請求項６】
少なくとも一方のクロスバーが他方のクロスバーよりも幅広く、その長さに沿って均等に間隔をあけた接続ポイントの間隔をあけた２列を有し、前記２列が、前記第１の距離および前記第２の距離未満の第３の距離分相隔てられ、前記上部構造装置の少なくともいくつかが、前記第３の距離分相隔てられた接続ポイントを備えた取付けベースを有する、請求項４に記載のアセンブリ。
【請求項７】
前記複数のモジュラー式上部構造装置が、旋回ケーブル終端部、固定ケーブル終端部、ケーブルコネクタマニホールド、Ｕ字形支持物、および海中電子機器モジュール（ＳＥＭ）端部支持ブラケットから成る前記グループから選択された少なくとも１つまたは複数の第１のモジュラー式上部構造装置を備える、請求項１に記載のアセンブリ。
【請求項８】
前記複数のモジュラー式上部構造装置が、前記第１のモジュラー式上部構造装置の内の１つまたは複数を介して、前記支持フレームよりも高くされた高さでの前記支持フレームへの取付けのために構成された１つまたは複数の第２のモジュラー式上部構造装置をさらに備える、請求項７に記載のアセンブリ。
【請求項９】
前記１つまたは複数の第２のモジュラー式上部構造装置が、海中電子機器モジュール（ＳＥＭ）、昇降ケーブルＵ字形金具、および旋回ケーブル終端部から成る前記グループから選択される、請求項８に記載のアセンブリ。
【請求項１０】
前記Ｕ字形支持物が、少なくとも１つの背の高いＵ字形支持物と、前記背の高いＵ字形支持物よりも高さで短い１つの短いＵ字形支持物とを備え、それぞれのＵ字形支持物が上部取付け部材と、前記上部取付け部材から垂下する１対の脚部とを有し、前記上部取付け部材が前記Ｕ字形支持物に選択された第２のモジュラー式上部構造装置を取り付けるための接続ポイントのアレイと、１対のフットプレートとを有し、各フットプレートはそれぞれの脚部の前記下端部に取り付けられ、前記フットプレートはそれぞれ接続ポイントを有し、前記Ｕ字形支持物を前記ベースフレームに取り付けるための前記取付けベースを備える、請求項８に記載のアセンブリ。
【請求項１１】
前記選択された第２のモジュラー式上部構造装置が、昇降ケーブルの選択されたＵ字形支持物への選択的な取付けのためにケーブルＵ字形金具およびケーブル旋回マウントをさらに備える、請求項１０に記載のアセンブリ。
【請求項１２】
前記カバー部材が、２つの傾斜側壁と、２つの傾斜端壁と、上部壁と、前記端壁および前記側壁の前記下端部の回りに延在する、内向きに延在する周辺リムとを有する四角錐体から成り、前記カバー部材の前記周辺リムが、前記周辺フレーム部材の形状および寸法と実質的に一致する形状および寸法であり、前記周辺フレーム部材上の一致する接続ポイントとの位置合わせのため、および前記位置合わせされたカバー部材の内のいくつかまたはすべてでの固締具を介した前記ベースフレームへの取付けのために構成された複数の接続ポイントと、前記カバー部材が、前記ベースフレームに取り付けられた設備上で、前記周辺フレーム部材の上部に据え付けられた前記内向きに延在する周辺リムと係合するときの周辺フレーム部材接続ポイントとを有する、請求項１に記載のアセンブリ。
【請求項１３】
前記ベースフレーム上の前記接続ポイントが、ねじ切りされた取付け穴またはねじ切りされていない取付け穴を備え、前記上部構造装置および前記カバー部材上の前記接続ポイントが前記取付け穴との位置合わせのための開口部を備える、請求項１２に記載のアセンブリ。
【請求項１４】
前記カバー部材が、前記側壁および前記端壁の前記開口部、ならびに前記周辺リムの位置合わせされた開口部を通って、かつ前記ベースフレームの前記周辺フレーム部材のそれぞれの位置合わせされた取付け穴の中へ伸長する固締具との係合のために、前記カバー部材の前記周辺リムの回りのそれぞれの開口部と位置合わせされる、前記側壁および前記端壁の基部部分の回りに間隔をあけた開口部を有する、請求項１３に記載のアセンブリ。
【請求項１５】
海中設備を保持するためのモジュラー式ベースフレームであって、
外周を形成する周辺フレーム部材と、
１つまたは複数の方向で前記フレーム部材の対向する部分の間で伸長して、隣接クロスバー間、およびクロスバーと前記フレーム部材の隣接部分との間で空間を画定する複数の前記クロスバーであって、前記フレーム部材および前記クロスバーが上面および下面を有する、複数のクロスバーと、
それぞれ、選択されたモジュラー式上部構造装置を考えられる複数の異なる構成で前記ベースフレームに取り付けるために前記それぞれのフレーム部材および前記クロスバーの少なくとも実質的に全長に沿って伸長する複数の均等に間隔をあけた接続ポイントを有する、前記フレーム部材および前記クロスバーの前記上面であって、前記フレーム部材および前記クロスバーの前記接続ポイントがともにかつ独立して、異なるサイズの接続ポイントの、かつ異なる数の接続ポイントを備えた複数のアレイを形成する、前記フレーム部材および前記クロスバーの前記上面と、
複数の固締具を介した選択されたモジュラー式上部構造装置の異なるサイズのベース部材への選択的な取付けのために構成されている前記モジュラー式ベースフレームであって、各ベース部材が、前記それぞれのベース部材での接続ポイントのアレイに一致するサイズの前記ベースフレームの接続ポイントの任意の選択されたアレイの接続ポイントとの位置合わせのために構成された接続ポイントの前記アレイを含み、前記位置合わせされた接続ポイントがそれぞれの固締具による係合のために構成される、前記モジュラー式ベースフレームと
を備えるモジュラー式ベースフレーム。
【請求項１６】
前記周辺フレーム部材および前記クロスバーの少なくとも前記上面が、平坦で同一平面上にある取付け面を備える、請求項１５に記載のモジュラー式ベースフレーム。
【請求項１７】
前記フレーム部材および前記クロスバーの前記上面上の前記接続ポイントが、前記ベース部材上の開口部を備えるそれぞれの接続ポイントとの位置合わせ用の取付け穴を備える、請求項１５に記載のモジュラー式ベースフレーム。
【請求項１８】
前記取付け穴がねじ切りされ、ねじ切りされた固締具を受け入れるために構成される、請求項１７に記載のモジュラー式ベースフレーム。
【請求項１９】
前記取付け穴がねじ切りされていない、請求項１７に記載のモジュラー式ベースフレーム。
【請求項２０】
前記周辺フレーム部材および前記クロスバーの前記下面にわたって固定されたベースプレートをさらに備える、請求項１５に記載のモジュラー式ベースフレーム。
【請求項２１】
前記周辺フレーム部材が矩形であり、対向する側部部分および端部部分を有し、前記クロスバーが前記周辺フレーム部材の対向する端部部分間で伸長する少なくとも１本の第１のクロスバーと、前記周辺フレーム部材の対向する側部部分の間で伸長し、交差点で前記第１のクロスバーと交差する少なくとも１本の第２のクロスバーとを備える、請求項１５に記載のモジュラー―式ベースフレーム。
【請求項２２】
少なくとも１本のクロスバーが前記周辺フレーム部材よりも幅広く、間隔をあけた２列の、その長さに沿って伸長する均等に間隔をあけた接続ポイントを有する、請求項２１に記載のモジュラー式ベースフレーム。
【請求項２３】
前記少なくとも１本のクロスバーは、前記周辺フレーム部材の対向する側部部分の間で伸長する単一の中心に位置する第２のクロスバーを備える、請求項２２に記載のモジュラー式ベースフレーム。
【請求項２４】
所定の第１の距離を相隔たる２本の第１のクロスバーがあり、それぞれが前記ベースフレームの前記それぞれの隣接する側部部分から所定の第２の距離間隔をあけられ、前記第１の距離が前記第２の距離と異なる、請求項２１に記載のアセンブリ。
【請求項２５】
前記周辺フレーム部材の対向する端部部分から間隔をあけた１本の中心に位置する第２のクロスバーがある、請求項２４に記載のアセンブリ。
【請求項２６】
上面と、周辺フレーム部材と、前記周辺フレーム部材の対向する部分間で伸長する１本または複数のクロスバーとを有するモジュラー式ベースフレーム上の複数の異なる選択された構成で海中設備を組み立てる方法であって、前記フレーム部材および前記１本または複数のクロスバーは、前記それぞれの部材の前記上面の少なくとも主要な部分または前記全長に沿って伸長する複数の均等に間隔をあけた接続ポイントを有し、
前記モジュラー式ベースフレームの前記上面上の選択された位置に１つまたは複数の異なる種類の１つ、２つ、またはそれ以上のモジュラー式上部構造装置を配置することであって、各モジュラー式上部構造装置の前記ベースマウント上の間隔をあけた接続ポイントのアレイが、前記ベースフレームの前記上面上の間隔をあけた接続ポイントの選択された一致するアレイと位置合わせされた、配置することと、
前記位置合わせされた接続ポイントを介して前記フレームに各モジュラー式上部構造装置を固定することと
を含む方法。
【請求項２７】
前記ベースフレーム上の前記接続ポイントが取付け穴であり、各取付けベース上の前記接続ポイントが選択された取付け穴との位置合わせ用の開口部であり、前記ベースフレームに各モジュラー式上部構造装置を固定する前記ステップが、前記それぞれの上部構造装置の前記取付けベース上の各開口部を通して、前記それぞれの位置合わせされた取付け穴の中に固締具を伸長することを含む、請求項２６に記載の方法。
【請求項２８】
前記モジュラー式上部構造装置が、少なくとも固定ケーブル終端部および旋回ケーブル終端部と、海中設備モジュールを支持するために構成された端部ブラケットと、前記支持ブラケット間で伸長するケーブルコネクタマニホールドを支持するための右支持ブラケットおよび左支持ブラケットの組と、海中ケーブルの前記端部で接合コネクタユニットとの海中接合係合のために２つ以上の海中コネクタユニットを運ぶ前記ケーブルコネクタマニホールドと、前記ベースフレームよりも高くされた高さで追加の装置を支持するためにＵ字形の支持物とを備え、モジュラー式上部構造装置の第１のセットが前記モジュラー式ベースフレーム上の選択された構成で固定された後に１つまたは複数の追加のモジュラー式上部構造装置を１つまたは複数の高くされたＵ字形の支持物に固定することをさらに含み、前記１つまたは複数の追加の上部構造装置が少なくとも１つの昇降ケーブル支持装置を備える、請求項２７に記載の方法。
【請求項２９】
選択された上部構造装置、および前記ベースフレーム上に固定されたあらゆる関連付けられた設備モジュールの上でトロール網に抵抗性のあるカバー部材を係合することであって、リムが、前記ベースフレームの前記周辺フレーム部材の回りの対応する間隔をあけた取付け穴と位置合わせされた前記カバー部材の前記リムの回りに間隔をあけた開口部のある前記周辺フレーム部材上に据え付けられた前記カバー部材の前記基部の回りで伸長する、係合することと、前記リムの前記開口部の少なくともいくつかを通って、前記周辺フレーム部材の位置合わせされた取付け穴の中に伸長する固締具を介して、前記周辺フレーム部材に前記リムを固定することとをさらに含む、請求項２７に記載の方法。
【発明の詳細な説明】
【技術分野】
【０００１】
本発明は、概して、石油生産基地、海中通信システム、海中ポンピング場等に関連付けられた電子機器または計器モジュール等の多様な種類の設備を海中環境で保持するための支持システムまたは取付けシステムに関する。
【背景技術】
【０００２】
海中ノードは、陸地をベースにした施設とノードに設置された設備もしくは計器との間で、陸地をベースにした施設およびノードから伸長する１本または複数の電気ケーブル、光ケーブル、もしくは電気光学ケーブルを介して電力を供給する、または通信を送受し、ノードと他の海中ノードまたは海中基地との間で通信を送受することもある海中基地である。水中設備または水中計器をノードアーキテクチャに保持するための支持フレームまたは支持システムはノードフレームとしても知られており、通常、特定の設備基地用にカスタム設計される独自の品目である。それらの品目は概して溶接構造から成り、少量で生産される。このため、係る支持システムは高価となり、取得が困難になる。
【発明の概要】
【課題を解決するための手段】
【０００３】
一態様では、モジュラー式ベースフレームまたはノードフレーム、および多様な構成部品を支持するためのモジュラー式ベースフレームへの選択的な取付け用、または水中ケーブルへの取付け用の複数のモジュラー式上部構造装置を含むモジュラー式海中設備アセンブリが提供される。一実施形態でのモジュラー式ベースフレームは、ベースフレームの外周を形成するフレーム部材と、１つまたは複数の方向でフレーム部材の対向部分間で伸長する複数のクロスバーとを含み、フレーム部材およびクロスバーは、それぞれが考えられる複数の異なる構成でアセンブリの選択されたモジュラー式装置をベースフレームに取り付けるための複数の接続ポイントを有する少なくとも上面を有する。一実施形態では、接続ポイントは、フレーム部材内の複数の間隔をあけた取付け穴または取付けボアと、ネジ、ボルト、リベット、釘、ピン等のねじ切りされた固締具またはねじ切りされていない固締具を受け入れるためのクロスバーとを含む。他の実施形態でのベースフレームは円形、多角形等の形状を有することがあるが、一実施形態でのベースフレームは、正方形または矩形の形状である。
【０００４】
一実施形態では、周辺フレーム部材は、対向する側部および対向する端部を有し、１本または複数の第１のクロスバーが側部の間で伸長し、１本または複数の第２のクロスバーが、第１のクロスバーに横断方向でフレームの対向する端部間で伸長する。クロスバーは、周辺フレーム部材と同じ幅であることもあれば、異なる幅であることもある。一実施形態では、２列の平行する間隔をあけた接続ポイントを有するより幅広い中心クロスバーが提供される。このようにして提供された複数の支持物および間隔をあけた多くの接続ポイントは、ベースフレーム上の異なる場所で異なるサイズの取付け板を用いて、上部構造装置の考えられる多くの異なる設定または配置を可能にすることによって考えられる複数の異なる設備構成を可能にする。
【０００５】
一実施形態では、上部構造装置は、水中ケーブルの端部での接合コネクタの取付けのために異なる数の海中コネクタユニットを運ぶケーブルコネクタプレートまたはモジュールを支持するための取付けブラケット、ケーブル終端部への固定取付けと旋回取付けの両方のためのヨークマウント、電子機器モジュールを支持するための支持ブラケット、モジュラー式設備ハウジング、Ｕ字形の高いおよび低い支持部材、上部ケーブルブラケット、ならびに１つまたは複数のトップカバーまたはカウリングの内の１つまたは複数を含む。上部構造装置の内の少なくともいくつかは、それらが考えられる複数の位置でベースフレームの上面上の接続ポイントと位置合わせできるように、モジュラー式ベースフレーム上の接続ポイント間隔と一致する間隔の開口部のあるベースプレートまたはマウントを有する。全体的なモジュラー式フレームアセンブリまたはシステムは、海中システムでの任意の組合せの構成部品の組立てに使用されるときにトロール網および沈み木に抵抗性があるように設計される。トップカバーまたはカウリングは、周辺フレーム部材の回りの開口部または接続ポイントとの位置合わせのために設計された、基部部分の周辺に間隔をあけた開口部を有する。
【０００６】
一実施形態では、複数の異なる選択された構成の海中設備をモジュラー式ベースフレーム上で組み立てる方法が提供される。ベースフレームは、周辺フレーム部材と、周辺フレーム部材の対向部分間に伸長する１つまたは複数の交差部材またはクロスバーとを有し、フレーム部材および1本または複数のクロスバーは、それぞれの部材の少なくとも１つの主要な部分または全長に沿って延在する均等に間隔をあけた複数の接続ポイントを有する。一実施形態では、方法は、各モジュラー式上部構造装置のベースマウント上の間隔をあけた接続ポイントのアレイがベースフレーム上の間隔をあけた接続ポイントの選択された一致するアレイと位置合わせされた状態で、周辺フレーム部材の上面上の選択された場所に１つ、２つまたはそれ以上のモジュラー式上部構造装置を配置することと、位置合わせされた接続ポイントを介してフレームに各モジュラー式上部構造装置を固定することとを含む。
【０００７】
一実施形態では、ベースフレーム上の接続ポイントは取付け穴であり、各取付けベース上の接続ポイントは、選択された取付け穴との位置合わせのための開口部であり、各モジュラー式上部構造装置は、各開口部および位置合わせされた取付け穴を通って伸長する固締具を介してベースフレームに固定される。取付け穴は、ネジまたはボルト等のねじ切りされた固締具を受け入れるためにねじ切りされることもあれば、ピン、リベットまたは釘等の固締具を受け入れるためにねじ切りされていないこともある。一実施形態では、モジュラー式の上部構造装置は、ケーブル終端部用の少なくとも枢動するヨーク取付けブラケットおよび固定されたヨーク取付けブラケットと、多様な種類の設備を保持する設備モジュールを支持するための端部ブラケットと、海中ケーブル等の端部での接合コネクタユニットとの海中接合係合のために２つ以上の海中コネクタを運ぶケーブルコネクタマニホールドプレートを支持するための端部ブラケットと、昇降ケーブルＵ字形金具または旋回ケーブル終端部等のベースフレームよりも高くされた高さで追加の装置を支持するためのＵ字形支持物とを含む。一実施形態では、選択された上部構造装置およびあらゆる関連付けられた電子モジュール、ケーブル終端部、ならびに吊上げ治具および処理治具等が、いったんベースフレーム上の考えられる複数の構成の内の選択された１つで固定されると、トロール網に抵抗性のあるカバー部材またはカウリングがアセンブリの上で固定され、カバー部材の基部の回りの内向きに向けられたリムが周辺フレーム部材の上に据え付けられ、カバー部材の基部の回りの間隔をあけた接続ポイントまたは固締部開口部がベースフレームの周辺フレーム部材の回りの対応する間隔をあけた接続ポイントまたは取付け穴と位置合わせされ、昇降ケーブルは取り付けられたカバー部材またはカウリングの上部開口部から伸長する。
【０００８】
本発明の他の特長および優位点は、例として、本発明の態様を示す以下の説明から明らかになるはずである。
【０００９】
本発明の構造および動作の両方に関する本発明の詳細は、類似する参照番号が類似するパーツを指す添付図面を検討することにより部分的に収集されてよい。
【図面の簡単な説明】
【００１０】
【図１Ａ−１Ｂ】考えられる異なるさまざまな構成で海中設備を支持するためのモジュラー式フレームシステムの一実施形態の部分の展開図である。
【図２】より大きな尺度での図１のモジュラー式フレームシステムのモジュラー式ベースフレームの上部斜視図である。
【図３】図２のベースフレームの下部斜視図である。
【図４】図１Ｂのカウリングまたはカバー部材の上部平面図である。
【図５】図１Ｂおよび図４の底部斜視図である。
【図６】修正されたカウリングまたはカバー部材を示す上部斜視図である。
【図７】図１〜図５のモジュラー式フレームシステムの構成部品を使用して単純な、ケーブルまたはロープにより降ろされた海中設備基地の一例を示す斜視図である。
【図８】図１〜図５のモジュラー式フレームシステムの構成部品を使用してケーブルまたはロープで降ろされた海中設備の第２の例を示す斜視図である。
【図９】図６の修正されたカウリングまたはカバー部材とともに、図１〜図３のモジュラー式フレームシステムの構成部品を使用する、上部ケーブルスイベルを有する海中設備組立基地の例を示す斜視図である。
【図１０−１２】図７の設備アセンブリの一実施形態を組み立てる連続ステップを示す図である。
【図１３】フレーム上のすべての組み立てられた構成部品を明らかにするためにカウリングが透明で示された、図７の海中設備アセンブリの上部平面図である。
【図１４−１８】図８の設備アセンブリの一実施形態を組み立てる連続するステップを示す図である。
【図１９】図９に示される上部ケーブルスイベルを用いてアセンブリの一実施形態を組み立てる中間ステップを示す図である。
【図２０】トップカバーまたはカウリングが取り除かれた状態の図９のアセンブリの内部構成部品を示す図である。
【発明を実施するための形態】
【００１１】
本明細書に開示される特定の実施形態は、モジュラー式海中設備組立てまたは取付けフレームシステムを提供する。モジュラー式海中設備アセンブリまたはモジュラー式フレームシステムは、モジュラーベースフレームと、多様な構成部品を支持するための考えられる複数の異なる構成でのモジュラー式ベースフレームへの選択的な取付け用、および水中ケーブルへの取付け用の複数のモジュラー式上部構造装置とを含んでよい。モジュラー式フレームシステムは、モジュラー式ベースフレームへの取付け後の上部構造装置および上部構造設備上での取付け用のカウリングまたはトップカバーをさらに含んでよい。
【００１２】
本説明を読んだ後、多様な代替実施形態および代替用途で本発明を実現する方法が当業者に明らかになる。ただし、本発明の多様な実施形態が本明細書に説明されるが、これらの実施形態が制限ではなく、例としてのみ提示されることが理解される。したがって、多様な代替実施形態のこの詳細な説明は、本発明の範囲または広がりを制限するように解釈されるべきではない。
【００１３】
図１Ａおよび図１Ｂは、考えられるさまざまな異なる構成で海中設備を支持するためのモジュラー式フレームシステムまたはキット１０Ａ、１０Ｂの一実施形態の部分の展開図を示す。モジュラー式フレームシステムまたはキット１０Ａ、１０Ｂは、基本的に、多様な海中設備を設置するためのベースプレートとして機能するモジュラー式ベースフレーム１２と、ベースフレーム上または他の上部構造装置上の選択された位置での取付け用の複数の異なる上部構造装置または設備取付け装置とを含む。ベースフレーム１２は、システムまたはキットの多様な上部構造装置との位置合わせを示すために図１Ａと図１Ｂの両方に含まれている。モジュラー式ベースフレームは、以下により詳しく説明されるように、上部構造装置をフレーム上で考えられる複数の異なる構成で取り付けることができるように設計される。
【００１４】
図２および図３は、図１Ａおよび図１Ｂのシステムのベースフレームの一実施形態をより詳しく説明する。ベースフレーム１２は、フレーム周辺部と呼ばれることもあるベースフレームの外周を形成するフレーム部材４６を含む。ベースフレーム１２は、１つまたは複数の方向でフレーム周辺部４６の対向部分の間で伸長する複数のクロスバーをさらに含む。示されている実施形態では、ベースフレームは概して、対向する側部および対向する端部を備えた矩形であるが、ベースフレームは、代替実施形態では多角形または円形等の他の形状であってよい。フレーム部材４６は、対向する端部間で伸長する１対のクロスバー４８と、対向する側部間のクロスバー４８に横断方向に伸長する単一の中心クロスバー４９とを有するが、他の実施形態では異なる数のクロスバーがフレーム部材の側部と端部との間で伸長してよい。示されている実施形態では、クロスバー４８は周辺フレーム部材４６よりもわずかに幅広い。一方、中心クロスバー４９は、クロスバー４８の幅の約２倍である。開口部または陥凹部がそれぞれのクロスバーと、フレーム部材４６の側部部分および端部部分との間に設けられ、ベースプレート５０は、海底での配置またはプランティングのために、図３で見られるように、フレーム部材およびクロスバーの下面、ならびに陥凹部の下端部にわたって延在してよい。
【００１５】
周辺フレーム部材の上面は、フレーム周辺部全体の回りに一連の間隔をあけた接続ポイントまたは取付け穴５４を有し、クロスバー４８はそれぞれ、フレームの各端部と中心のより幅広いクロスバー４９との交差部との間でその上面に沿って複数の類似した接続ポイント５４を有する。より幅広いクロスバー４９は、フレーム部材またはフレーム周辺部の対向する側部の間で、クロスバーの対向する側部に隣接して延在する、２列の平行する間隔をあけた接続ポイント５４を有する。接続ポイント間の間隔は、各クロスバーに沿ってだけではなく、フレームの周辺部の回りでも一定である。
【００１６】
一実施形態での接続ポイント５４は、ベースフレーム１２の頂面の回りに存在する取付け穴または固締具開口部である。取付け穴５４はねじ切りされることもあれば、ねじ切りされないこともあり、ネジ、ボルト、ピン、釘、リベット等の固締具を受け入れてよい。上部構造装置は概して、ブラケット、または装置の底部に位置し、以下により詳しく説明されるように、多様な装置をベースフレーム１２に取り付けるために固締具を受け入れるための取付け穴または固締具開口部５４との位置合わせのために構成された開口部を有するベースプレートを含んでよい。
【００１７】
ベースフレーム１２の対向する側部および端部は、ベースフレーム１２の側面５１と、端面５３と、対応する対向面とを含んでよい。また、固締具開口部または接続ポイント５２が、たとえばカバー部材へまたは追加の吊上げ構造または処理構造への取付けを可能にするために、図１２に見られるように、側面または端面に設けられてもよい。複数のクロスバーおよびベースフレーム１２の多くの間隔をあけた接続ポイントが、ベースフレームの異なる場所での異なるサイズの取付けプレートを用いた上部構造装置の考えられる多くの異なる構成または設置を可能にすることによって、考えられる複数の異なる設備構成を可能にする。たとえば、他の上部構造装置が中心クロスバー４９上に完全に設置されてよいのに対し、上部構造装置は、フレーム周辺部４６およびクロスバー４８の一方の側の上へ設置されてよい。図２に示されるように、周辺フレーム部材およびクロスバーの取付け穴５４が結合して、たとえば２本のクロスバー４８間の間隔ｄ１、クロスバーと周辺フレーム部材４６の隣接する側部部分との間の間隔ｄ２、および中心クロスバー４９の２列の取付け穴間の間隔ｄ３等の異なる間隔で、間隔をあけた取付け穴の列を含む、多様な取付けアレイまたは接続ポイントアレイを形成する。示されている実施形態では、中心クロスバー４９のどちらかの側の取付け穴の列の内の１つと、周辺フレーム部材４６の隣接端部での取付け穴との間の間隔もｄ１に等しい。取付け穴アレイは、各列の開口部が取付け穴５４と同じ距離分、相隔てられている状態で、ｄ１、ｄ２、もしくはｄ３、またはｄ１＋ｄ２に相当する間隔での２列の開口部を有する上部構造装置取付けプレートまたは取付けベースの寸法に応じて、２つ、３つ、４つ、またはそれ以上の取付け穴のグループで使用できる。これは、多様なモジュラー式上部構造装置のための取付け位置の選択で大量の柔軟性を提供する。ベースフレーム１２は、異なるサイズのベースプレートまたはマウントの取付けのためのより多くの柔軟性が必要とされる場合、代替実施形態で異なる間隔で追加のクロスバーを備えて設計されてよい。
【００１８】
また、ベースフレーム１２は、海底へのプランティングのためにベースフレーム１２の下側に下部壁５０を含んでもよい。一般に、ベースフレーム１２は、適切な高強度の耐食金属から構成される。
【００１９】
図２に示されるように、ベースフレーム１２は、考えられる複数の異なる構成で、電子機器モジュール、水中接合可能コネクタ、旋回水中ケーブル終端部および固定水中ケーブル終端部、ならびに吊上げハードウェア等の多様な上部構造構成部品または上部構造装置を固定するための取付け穴５４の豊富な供給を有する。
【００２０】
海中設置システムまたはキットの一実施形態の上部構造構成部品または上部構造装置の内のいくつかは、図１Ａでベースフレーム上の考えられる取付け位置上に配置されて示される。一方、他の上部構造構成部品／取付け装置１０Ｂは、ベースフレーム１２上の適切な位置で図１Ｂに示される。上部構造装置は、図１Ｂに見られるケーブルＵ字形金具４４、上部ケーブルブラケット４５、ヨーク上部マウント２０、低い支持物４０、高い支持物４２、および上部カバーまたはカウリング３８だけではなく、図１０Ａに見られるケーブル旋回終端部１４、固定ケーブル終端部１８、ヨーク側部マウント２２、海中電子機器または設備モジュール３５を支持する端部ブラケットまたはマウント３６を含む海中電子機器または設備モジュール（ＳＥＭ）アセンブリ３４、ケーブルコネクタマニホールドまたはプレート２８を支持する背の高いモジュラー式端部ブラケット２５、２６付きの背の高いケーブルコネクタアセンブリ２４、およびやはりケーブルコネクタマニホールドまたはプレート２８を支持するより短いモジュラー式端部ブラケット３０、３２を備えた短いケーブルコネクタアセンブリ２７も含んでよい。一般に、上部カバーまたはカウリング３８から離れた上部構造装置１０Ａおよび１０Ｂのそれぞれは、周辺フレーム部材４６および１本または複数のクロスバー４８または４９の開口部４８の選択されたグループとの位置合わせのために配置された開口部を備えた、１つまたは複数のコネクタベースプレートを有する。
【００２１】
図１Ａおよび図１Ｂの上部構造装置の大半は、異なるサイズの、およびベースフレーム１２上での固締具開口部または取付け穴の間隔に等しい間隔で固締具開口部の異なる配置のベースプレートまたは取付けベースを含む、１つまたは複数のモジュラー式構成部品から構築される。アセンブリまたはキットは、多くのケーブル取付け装置、特に、図１Ａの固定ケーブル終端部１８、ヨーク端部マウント１５、およびヨーク側部マウント２２、ならびに図１Ｂのヨーク上部マウント２０を含む。図１Ａでは、ヨーク端部マウント１５は、旋回取付けケーブル終端部１６がヨーク端部マウント１５上に枢着されるケーブル旋回終端部１４の一部である。また、ケーブル終端部１６は、たとえば図１９および図２０の設置例に示されるようにヨーク上部マウント２０に枢着されてもよい。ヨーク端部マウント１５は、プレートの各端部に沿った固締具開口部７６を備えた基部または取付けプレート７４と、プレートの中心領域に固定されたＵ字形のヨークまたは取付けブラケット７５とを有し、ケーブル終端部１６は、ヨークの対向する側部の間に枢着されている。図１Ａの点線によって示されるように、プレート７４の対向する端部の２列の固締具開口部７６の間の間隔は、フレームクロスバー４８の２列の取付け穴５４間の間隔ｄ１に等しく、したがってプレート１５は、ノード内の設備に接続されるケーブルの成端のためにフレームのどちらかの端部でクロスバー４８を横切って取り付けることができる、または２枚のプレート１５はシステムの要件に基づいて必要とされる場合フレームの対向する端部で固定できる。
【００２２】
ヨーク側部マウント２２はヨーク端部マウント１５に類似しているが、その旋回軸がヨーク端部マウント１５においてのように取付け板の端部に対して横断方向よりむしろ、プレートの対向端部と平行な状態で取り付けられた、より小さい取付けプレート１２４およびＵ字形のヨーク１２６を有する。ケーブル終端部１６（不図示）は、図１Ａのヨーク端部マウント１５でのケーブル旋回終端部１６と同様にヨーク１２６に枢着できる。この場合、固締具開口部１２５は、ヨーク１２６の対向する側部でプレート１２４の対向する側面に沿って設けられる。ヨーク上部マウント２０（図１Ｂ）は、側部ヨークマウント２２に類似し、類似する参照番号が必要に応じて類似するパーツに使用される。ヨーク側部マウント２２のプレート１２４の対向する側面上の開口部１２５間（およびヨーク端部マウント２０上の開口部１２５間）の間隔は、中心クロスバー４９の対向する側部の２列の取付け穴の間の間隔ｄ３に等しく、したがってヨーク端部マウントは、たとえばケーブル終端部の枢着のためにバー４９のどちらかの端部で、バー４９上の取付け穴の任意の選択されたグループに固定できる。固定されたケーブル終端部１８は、やはりｄ１に等しい間隔でプレートの対向する側面に２列の固締具開口部１０８を備えたベースプレート１０６を有し、このモジュールは、中心クロスバー４９での任意の所望される場所で固定することもできる。
【００２３】
他の上部構造構成部品またはモジュラー式構成部品は、ケーブルコネクタモジュールまたはプレート２８を取り付けて、それぞれケーブルコネクタマニホールド２７、２４を形成するために使用されてよい短いブラケット３０、３２および背の高いブラケット２５、２６等の電子機器モジュールを支持するためのブラケットと、ＳＥＭ容器３５等のモジュラー式電子機器設備ハウジングと、ＳＥＭ容器端部支持ブラケット３６と、低い支持物４０および高い支持物４２等の高いおよび低いＵ字形の支持部材と、設置配備（下降）ケーブルまたはロープ１０４の端部が固定されるケーブルＵ字形金具４４の枢着のための上部ケーブルブラケット４５と、カウリング３８等の１つまたは複数のトップカバーまたはカウリングとを含む。
【００２４】
図１Ａは、２つのケーブルコネクタプレートまたはマニホールド２８を示す。ケーブルコネクタプレートの１つは、アセンブリ２４を形成する固締具１１５を介して背の高い右ブラケットと背の高い左ブラケット２５、２６の間で固定される。各ブラケットは、１列の固締具開口部１１４を備えた平らなベースプレートまたはフットプレート３５を有し、ブラケットがケーブルコネクタプレート２８の対向する端部に固定されるとき、２つのフットプレート３５の固締具開口部間の間隔は、図１Ａの点線によって見られるように、クロスバー４８上の固締具開口部または取付け穴５４の間の間隔ｄ１に等しい。他のケーブルコネクタプレートは、背の高いブラケット２５、２６よりも短い、短い右ブラケットおよび短い左ブラケット３０、３２の間で固締具１１７によって固定される。また、短いブラケット３０、３２は、それぞれ、それぞれのフットプレートの各端部に開口部１１８を備えたフットプレート１１６を有する。短いブラケット３０、３２のフットプレート１１６の対向する端部での開口部１１８間の間隔は、クロスバー４８の１列の開口部と、周辺フレーム部材４６の隣接する側部の１列の開口部との間の間隔ｄ２に等しい（図１Ａを参照すること）。図１Ａの各ケーブルコネクタプレートまたはマニホールド２８は３つのケーブルコネクタ１１０を有するが、端部ブラケット間の１列または複数の列の中のより多くの数のまたはより少ない数のコネクタを備えたケーブルコネクタプレートは、ノード基地に接続されるケーブルの数に応じて他の実施形態で提供されてよい。海中ケーブルコネクタユニットまたはソケット１１０は、コネクタプレート２８の１つの面の上に配置されてよい。ソケットまたはコネクタユニット１１０は、水中／海中ケーブル用の水中油入り式均圧コネクタジャンクションであってよい。係るソケットユニットまたはコネクタユニットはプラグユニットまたはソケットユニットであってよい。ユニットは、海底での設置後にＲＯＶ等を介してコネクタプレート２８に適切に接続されてよい海中ケーブルの端部で接合コネクタ半分（プラグまたはソケット）と接合されるときだけではなく、接合されないときも海水に対して閉じられ、密封される。一方、ケーブルコネクタ１１０は、アセンブリ内部に設置される設備に接続される。
【００２５】
ＳＥＭ容器端部支持ブラケット３６は、それぞれ、図１Ａに見られるＳＥＭ容器３５のそれぞれの端部を受け入れるための開口部８４と、ＳＥＭ容器３５の長手方向軸に横断方向に伸長するベースマウントまたはベースプレート８５とを有し、固締具開口部または穴８６が、たとえば図１Ａに見られるクロスバー４８内の対応する取付け穴５４との位置合わせのために、間隔ｄ１で各ベースプレート８５の対向する端部に備えられる。Ｕ字形の短いブラケット４０は、１対の側部部材８９および側部部材間で伸長する上部部材８８を有し、部材８８の頂面は、アセンブリの構成部品用の取付け面を含む。頂面は、ベースフレーム内の取付け穴５４に対して同一であってよい２列の間隔をあけた固締具開口部または取付け穴９１を、接続ポイントまたは取付け穴５４と同じ間隔で有する。背の高い取付けブラケット４２は、ブラケット４０と形状が類似しているが、側部部材間で伸長する上部部材２０を備えたより背が高い側部部材１２２を有する。上部部材８８と同様に、上部部材１２０は取付け面を形成し、上部部材８８での固締具開口部と同じ間隔で２列の固締具開口部または穴９１を有する。ブラケット４０と４２の両方とも側部部材８９および１２２の下端部に取付けプレートまたは取付け足９０を有し、それぞれの取付けプレートは間隔ｄ３で対向する端部に、以下により詳しく説明されるように、中心クロスバー４９上の２列で間隔をあけた取付け穴５４との位置合わせのために配置される、固締具開口部または取付け穴９２を有する。
【００２６】
また、図１Ｂは、短い取付けブラケットまたは背の高い取付けブラケット４０または４２のどちらかの上部に固定できる上部ケーブルブラケットまたは取付け装置４５も示す。ケーブルブラケット４５は、三角形のブラケット９４が取り付けられるベースプレート９６を有する。ブラケットは、ケーブルＵ字形金具４４の間隔をあけた側部の開口部１００と位置合わせできる開口部９５をその上端部に有し、ケーブルＵ字形金具４４からケーブル１０４は、基地を降ろすまたは上げる際に使用するために伸長する。Ｕ字形金具は、位置合わせされた開口部１００および９５を通して伸長する適切な固締具１０２（図１１）を介してブラケット９４に固定される。ベースプレート９６は、取付けブラケット４０または４２の上面での接続ポイントまたは取付け穴９１の列の間の間隔に等しい間隔で三角形のブラケット９４の対向する側部に延在する一連の固締具開口部または穴９８を有する。また、ヨーク上部マウント２０は、短い取付けブラケットまたは背の高い取付けブラケット４０または４２のどちらかの頂面に選択的に取り付けられてもよく、開口部１２５は上部部材８８または１２０でのそれぞれの列の開口部９１と位置合わせされ、旋回端部マウント付きのケーブルは、図９、図１８、および図１９に関してより詳しく以下に説明されるように、海底まで完成したシステムを降ろすためのヨーク１２６に枢着されてよい。
【００２７】
上記構成部品のいくつかは、取付けブラケット、ヨークマウント、支持電子機器モジュールブラケット、およびＵ字形支持部材等の取付け装置であってよい。さらに、各上部構造取付け装置は、ベースフレームの上面での接続ポイントとの位置合わせのために設計されたボルト穴等の接続ポイントを有する。周辺フレーム部材４６およびベースフレーム１２のクロスバー４８、４９上の接続ポイントは、ともに考えられる複数の、異なるサイズの、および異なる数の接続ポイントとの取付け位置を形成する。全体的なモジュラー式フレームアセンブリまたはシステムは、海中システムでの任意の組合せの構成部品の組立てに使用されるときに、トロール網および沈み木に抵抗性があるように設計される。
【００２８】
図４はカウリング３８の上部平面図を示す。一方、図５は底部斜視図を示す。カウリング３８は、概して２つの傾斜側壁５６と、２つの傾斜端壁５８と、上部壁５５とを有する四角錐体の形状である。内向きに伸長する周辺リム６７は壁５６、５８の下端部の回りに延在し、上部壁５５に対して水平または平行である。カウリング３８は、側部（または端部）長穴６２および６３、ならびに上部長穴６０等の複数の窓を含んでよい。また、カウリング３８は、側部開口部６４および端部開口部６５等のカウリングの下端部から上方に伸長する複数の開口部または長穴を含んでもよい。一般に、矩形下部リム６７は、複数の固締具開口部６８を有する。下部リム６７は、ベースフレーム１２の周辺フレーム部材４６の上面に対して同等な矩形寸法となり、したがってリムは図７に見られるようにフレーム部材４６の上部に直接的に据え付けることができ、固締具開口部６８は次いで、周辺フレーム部材４６の上面の回りで間隔をあけられた、対応する取付け穴または固締具開口部５４と自動的に位置合わせされる。また、固締具開口部６８は各側壁および端壁の下端部分の回りに伸長するそれぞれの列の固締具開口部６６と位置合わせされる。位置合わせされた固締具開口部６６、６８は、ベースフレームの位置合わせされた固締具開口部または取付け穴５４の中に開口部６６、６８を通って伸長する適切な固締具を介してベースフレームの上面の上にカウリング３８を固定するために使用されてよい。
【００２９】
図６は、修正されたカウリングまたはカバー部材７０の上部斜視図を示す。特定の実施形態では、修正されたカウリング７０はカウリング３８として同様に構成要素を特長としてよい。修正されたカウリング７０は、異なるサイズに作られたウィンドウまたは開口部を特長としてよい。たとえば、上部長穴７２は、カウリング７０の上部長穴６０よりも幅広いことがある。これによって、より大きな構成部品がより幅広い上部長穴７２を通って伸長できる。カウリング７０の他の部分はカウリング３８の部分に同一であり、類似した参照番号が必要に応じて類似したパーツに使用されている。他のカウリングには異なる開口部の配置、位置、およびサイズが与えられてよい。カウリング３８および７０等の各カウリングまたはカバー部材は、トロール網および沈み木に抵抗性がある堅牢な円滑な外部シェルを含む。円滑な外部は、トロール漁船のトロール網を引っかけることがある沈み木の点の量を制限してよい。
【００３０】
図７〜図９は、図１〜図６のモジュラー式フレームシステムの少なくともいくつかの構成部品を使用してケーブルまたはロープで降ろされた海中設備アセンブリまたはノードユニット８０、８２、８３の例を示す。一方、図１０〜図１９は、これらの例示的なユニットを組み立てる上でのいくつかの考えられるステップを示す。設備アセンブリは、電力およびコントロールを供給するために陸地に結び付けられた海中ケーブルによって沖合に配備されてよい。図７の例では、簡略な代表的なアセンブリ８０がベースフレーム１２に取り付けられたカウリング３８を含む。カウリングの中に、およびベースフレーム１２に取り付けられるのは、以下により詳しく説明されるように、図１０〜図１２に示される装置を含む、一部の実施形態ではベースフレーム１２の上に組み付けられてよいいくつかの上部構造装置である。図７では、カウリング３８内部に設置される装置のいくつかは上部壁および側壁および端壁の開口部の中から伸長しているのが見られる。一方、他の側壁および端壁での開口部を通して外へ伸長する他の装置は、この図では見ることができない。図７で見られるように、固定ケーブル終端部１８はベースフレーム１２の片側で取り付けられ、一方の側壁５６の開口部６４を通して外へ伸長して、ケーブルブーツ１０５を介してケーブル１０７に接続する。コネクタプレート２８は、固定ケーブル終端部１８に垂直にベースフレーム１２の一方の側に取り付けられ、一方の端壁５８で側部開口部６３を通って伸長するソケットまたはコネクタユニット１１０を有する。第２のコネクタプレート２８は、固定ケーブル終端部１８に対するベースフレームの反対側に取り付けられてよく、コネクタユニット１１０は対向する側壁５６で開口部６２を通って伸長する。また、旋回ケーブル終端部または固定ケーブル終端部は、ベースフレーム１２の対向端部に固定されて、開口部６５の中から伸長し、ケーブルブーツ１０５を介してケーブル１０９に接続してもよい。適切な内部ファイバコネクタユニットまたはワイヤコネクタユニット（不図示）が、ケーブル終端部１４および１８の内側端部に設けられる。低い支持物４０はベースフレーム１２の中心近くに取り付けられる。低い支持物４０に接続されたケーブルＵ字形金具４４は、カウリング３８の上部長穴６０を通って伸長し、下降ケーブル１０４は容器から下方に伸長し、長穴６０を通ってケーブルＵ字形金具４４に固定される。各上部構造装置または設備取付け装置は、以下により詳しく説明されるように取付け穴５４を通してボルトまたは類似する固締具を固締することによって取り付けられる。
【００３１】
図１０〜図１２は、図７の設備アセンブリの一実施形態を組み立てるステップのいくつかを示す。図１０は、海中電子機器モジュール（ＳＥＭ）アセンブリ３４がベースフレーム１２の上部の中心に取り付けられたベースフレーム１２を示す。ＳＥＭアセンブリ３４は、図１Ａの点線によって示されるようにベースフレーム１２上に配置され、次いでＳＥＭアセンブリの対向する端部にあるベースフランジ８５が中心クロスバー４９の対向する側でクロスバー４８の間の隙間に渡り、開口部８６の各組がそれぞれのクロスバー４８内の開口部４８のそれぞれの対と位置合わせされるようにフレーム上に降ろされる。ＳＥＭアセンブリ３４は、次いで位置合わせされた開口部８６、５４を通って伸長するボルトまたはネジ固締具１３０によって定位置に固定され、海中電子機器または設備モジュール（ＳＥＭ）３５をベースフレーム１２よりも高くなった位置で支持する。
【００３２】
図１１のステップで、低い支持物４０はＳＥＭ３５の中心部分上に伸長するように配置され、フットプレート９０は、中心クロスバー４９上の間隔をあけた場所に配置され、フットプレートの開口部９８は、クロスバー４９の対向する側部の２列の開口部のそれぞれの開口部５４と位置合わせされている。固締具１３０は、次いで、ベースプレートまたはフットプレート９０のそれぞれを中心クロスバーに固定して、低い支持部４０をベースフレーム１２の中心クロスバー４９上に中心的に固定するために使用できる。一実施形態では、ケーブルＵ字形金具４４は次いで低い支持物の上部部材８８に固定され、ベースプレート９６は、固締具開口部９８がそれぞれの取付け穴９１と位置合わせされた状態で上部部材８８上に中心に配置され、固締具１３０は位置合わせされた穴９８、９１を通して伸長して、上部部材８８にケーブルＵ字形金具を固定する。配備ケーブル１０４は、ケーブルＵ字形金具４４から上方に伸長するように取り付けられる。
【００３３】
図１２では、追加の上部構造装置は、図１１のアセンブリ、特に固定ケーブル終端部１８およびケーブルコネクタマニホールド２４に背の高い端部ブラケット２５を用いて取り付けられる。背の高い端部ブラケット２５は、コネクタユニット１１０が、カバー部材またはカウリングがアセンブリ上に配置されるときに、窓または開口部６３と位置合わせされるように開口部６３の高さに対応する高さとなる。固定ケーブル終端部１８は、低い支持物４０の脚部８９に隣接して配置されてよい。一部の実施形態では、固定ケーブル終端部は、ベースフレーム１２上の他の便利な場所で配置されてよい。図１Ａに見られるように、固定ケーブル終端部１８のベースプレート１０６は、中心クロスバー４９の一端と位置合わせされてベースフレーム１２上に配置され、ベースプレート１０６がクロスバー４９上に配置された状態でフレームの上に降ろされ、固締具開口部または穴１０８はクロスバー４９の対向側部の開口部の列の中のそれぞれの取付け穴５４と位置合わせされている。ケーブル終端部１８は、次いで位置合わせされた開口部１０８および取付け穴５４を通って伸長する適切な固締具１３０によって定位置に固定される。
【００３４】
ケーブルコネクタマニホールド２４は、図１Ａの点線によって示されるように、２本のクロスバー４８の隣接する端部部分の上に配置された２つの背の高い端部ブラケット２５のフットプレート１１２で配置され、次いでフットプレート１１２の開口部１１４がそれぞれのクロスバーのそれぞれの開口部または取付け穴５４と位置合わせされるようにクロスバーの上に降ろされてよい。マニホールドは、次いで、位置合わせされた開口部または穴１１４、５４を通って伸長する固締具またはボルト１３０を介して定位置に容易に固定される。
【００３５】
ベースフレーム１２に設置される構成部品に加えて、一部の実施形態では、追加の上部構造構成部品、たとえば旋回ケーブル終端部１６および短い端部ブラケット３０付きのケーブルコネクタマニホールド２７が、ベースフレーム１２の他の利用可能な場所に設置されてよい。たとえば、図１Ａに示されるように、旋回ケーブル終端部１４のベースプレート１５は、背の高いケーブルコネクタアセンブリ２４に対するクロスバー４８の対向する端部部分に固定されてよく、ケーブル１０９は図１Ａの点線によって示されるようにコネクタユニット１１０から反対方向に伸長する。ベースプレート１５は、ベースプレート１５の対向する端部で穴７６およびそれぞれのクロスバー４８の位置合わせされた固締具開口部または取付け穴５４を通って伸長する適切な固締具によって固定される。旋回ケーブル終端部１６は、カウリング開口部６５を通って外へ伸長して、ケーブル１０９に接続するように適切に配置されてよい。短いケーブルコネクタアセンブリ２７は、図１Ａの点線輪郭線で示されるように、固定ケーブル終端部１８に反対方向で、ならびに旋回ケーブル終端部１７および背の高いケーブルコネクタ２４に垂直に向くようにベースフレーム１２に固定されてよい。フットプレート１１６は、１本のクロスバー４８と周辺フレーム部材４６の隣接する部分との間の隙間に渡るように配置され、ケーブルコネクタマニホールド２７は、フットプレート１１６のそれぞれの一方の端部にある開口部１１８およびクロスバー４８の位置合わせされた開口部５４、ならびにフットプレートのそれぞれの対向する端部にある開口部１１８および周辺フレーム部材４６の位置合わせされた開口部５４を通って伸長する適切な固締具またはボルト１３０によって定位置に固定される。短い端部ブラケット３０は、カウリング側壁５６の窓または開口部６２の高さに同等な高さとなる。
【００３６】
いったん構成部品がすべてベースフレーム１２に設置されると、カウリング３８は、リム６７が周辺フレーム部材４６の上部に載るように組み立てられた構成部品上を降ろされ、図１３に最もよく示されるように、開口部６４および６５は旋回ケーブル終端部１７および固定ケーブル終端部１８とそれぞれ位置合わせされる。図１３では、カウリングは、カウリング内に封入された組み立てられた構成部品を明らかにするために透明で示されている。一部の実施形態では、外部周辺フレーム部材４６に載っているベースプレートまたはフットプレートを有する上部構造装置または上部構造構成部品は、当初、固締具によって隣接するクロスバーだけに固定され、図１３に見られるように、カウリング内の開口部６６、６８、あらゆる介在するベースプレート開口部を通って、周辺フレーム部材４６内の（固締具種類に応じて、ねじ切られてよいまたはねじ切れなくてよい）固締具開口部または取付け穴５４の中に伸長する固締具１３４を介して周辺フレーム部材に後の固定するために開口部を空けたままにしてよい。いったんカウリングが固定されると、下降ケーブル１０４は上部長穴または開口部６０の中から伸長し、低いケーブルコネクタマニホールドおよび高いケーブルコネクタマニホールドのケーブルコネクタユニット１１０はそれぞれの窓６２および６３の中から伸長する。下降ワイヤケーブル１０４が放たれると、下降ワイヤケーブルは、沈み木抵抗性を高めるために、カウリングの上部壁の下方のカウリング凹部の中に旋回して下がることができる。
【００３７】
フレームアセンブリまたは海中ノード基地８０は、電力、コントロールおよび監視等のために陸地に結び付けられた水中ケーブル（たとえば、ケーブル１０７または１０９）によって任意の所望されるノード場所で沖合に設置され得る。科学的な計器もしくはシステム、油田計器もしくはシステム、または軍事的な計器もしくはシステムは、コネクタマニホールド２４および２７でコネクタのアレイの中に差し込まれてよい。
【００３８】
図８は、図１〜図５のモジュラー式フレームシステムの構成部品を使用して、ケーブルまたはロープで降ろされた海中設備アセンブリまたはノード基地８２の第２の例を示す。この基地は、低い支持物４０が高い支持物４２で置き換えられることは別にして、図７および図１０〜図１３の基地に類似している。一部の実施形態では、基地８２は概して図１４〜図１８に示されるように組み立てられてよい。この例では、基地または設備アセンブリ８２は、ベースフレーム１２に取り付けられたカウリング３８を含む。端部旋回ケーブル終端部１４は、ベースフレーム１２（図１４）の一方の側に取り付けられる。ＳＥＭ３４は、概して旋回ケーブル終端部１４（図１５）に隣接するフレームの中心にわたって取り付けられる。コネクタアセンブリ２７は、ＳＥＭ３４（図１６）の一方の側に隣接するベースフレーム１２の一方の側、対向する端部旋回終端部１４に取り付けられる。高い支持部４２は、前の例（図１７）の低い支持物４０と同様にＳＥＭ３４の中心上に取り付けられる。ケーブルＵ字形金具４４は、次いで高い支持物４２の上部部材１２０に固定され、高いコネクタマニホールド２４は旋回ケーブル終端部１４（図１８）からＳＥＭの対向端部で固定される。カウリング３８は、次いで組み立てられた構成部品上に設置され、前の例と同様にベースフレームに固定される。追加の構成部品は、システム要件に応じて、必要とされる場合、カウリングの取付けの前に１つのフレーム取り付けられてよい。
【００３９】
図９は、より幅広い上部長穴７２を備えた、図６の修正されたカウリングまたはカバー部材７０とともに図１〜図３のモジュラー式フレームシステムの構成部品を使用する上部ケーブルスイベルを有する海中設備アセンブリまたはノード８３の別の例を示す。より幅広い上部長穴７２は、ケーブル旋回終端部１６がより幅広い上部長穴７２内で旋回できるようにしてよい。図１９および図２０は、図９に示されるアセンブリ８３の一実施形態を組み立てる上での２つの中間段階を示す。図１９は、以前の実施形態でのようにベースフレーム１２の中心上に設置されたＳＥＭ３４を示し、低い支持物４０は図１１の例でのようにＳＥＭ容器３５の中心上に取り付けられている。ただし、この場合、ヨーク上部マウント２０は、ケーブルＵ字形金具４４よりむしろ低い支持物４０の上部部材８８に取り付けられ、ケーブル旋回終端部１６は、海中の電気ケーブル、光ケーブル、または電気光学ケーブル１０９の成端のためにヨークマウント上部２０の上に付着してよい。ケーブル１０９内のワイヤまたはファイバは、設備アセンブリ内部、またはＳＥＭ容器３５内部で他の装置、ケーブル等に従来のように接続されてよい。また、ケーブルコネクタマニホールド２７は、図１７に関連して上述されたのと同様に、図１９でベースフレームに固定される。
【００４０】
図２０は、ケーブル旋回終端部１６が低い支持物４０の上部に位置する状態で図９に示されたアセンブリの一実施形態を組み立てる以後のステップを示す。このステップまたは段階では、別のケーブル旋回終端部１６およびケーブルコネクタマニホールド２４がベースフレーム１２に接続される。第２のケーブル旋回終端部１６は、中心クロスバー４９の一端に位置し、接続されたケーブル１０９はベースフレーム１２の一方の側から離れて伸長している。ケーブルコネクタマニホールド２４は、ＳＥＭアセンブリ３４の一端に隣接して配置されてよい。ケーブルコネクタマニホールド２４は、上記図１２について説明される類似した特長を含んでよい。
【００４１】
図９のアセンブリまたは基地８３は、別個の下降ロープもしくはワイヤケーブルよりむしろケーブル１０９自体によって降ろされてよい、または２つのケーブルスパンの間に配備されてよい。
【００４２】
上記実施形態の海中設置システムはモジュラー式であり、多様な数のコネクタおよび１本または複数のケーブルのために、必要に応じて容易に構成できる。２つ、３つまたはそれ以上のソケットまたはコネクタユニット１１０を備えた１つまたは複数のケーブルコネクタマニホールドは、システム要件に応じて、１つまたは複数のケーブル終端部ならびにケーブルＵ字形金具４４等の任意の適切なシステム昇降ハードウェアとともに設置されてよい。ＳＥＭ容器または設備モジュール３５は、基地の種類に応じて、任意の所望される電子設備、光ファイバ設備、または電気光学設備を含んでよい。基地は、たとえば図７または図８においてのように加工ローブまたはケーブル１０４によって配備のために構成されることもあれば、２つのケーブルスパンの間に配備され、（たとえば図９においてのように）ケーブル１０９自体によって降ろされることもある。モジュラー式ベースフレームはすべての基地にとって共通であり、すべてのフレーム頂面に沿って複数の取付け穴５４のある周辺フレーム部材とともに複数のクロスバーを有し、考えられる多くの異なる構成で構成部品を固定する上で柔軟性を与える。これは特定の海中システムごとにカスタム設計されるノードフレームの必要性を回避するので、これにより設置費用が削減される。上記実施形態のモジュラー式設置システムの構成部品は、幅広い異なるシステム要件をサポートするための便利なプラットホームとして役立つための在庫品または在庫設置キットとして供給され得る。
【００４３】
開示されている実施形態の上記説明は、当業者が本発明を作るまたは使用できるようにするために提供される。これらの実施形態に対する多様な修正形態は当業者にとって容易に明らかになり、本明細書に説明される一般的な原則は本発明の精神または範囲を逸脱することなく他の実施形態に適用できる。したがって、本明細書に提示された説明および図面は、本発明の現在好まれている実施形態を表し、したがって本発明によって幅広く考慮される主題を表すことが理解されるべきである。さらに、本発明の範囲が当業者に明らかになってよい他の実施形態を完全に含むこと、および本発明の範囲がしたがって添付特許請求の範囲以外の何によっても制限されないことがさらに理解される。
【図１Ａ】
2015208219.tif 000003
【図１Ｂ】
2015208219.tif 000004
【図２】
2015208219.tif 000005
【図３】
2015208219.tif 000006
【図４】
2015208219.tif 000007
【図５】
2015208219.tif 000008
【図６】
2015208219.tif 000009
【図７】
2015208219.tif 000010
【図８】
2015208219.tif 000011
【図９】
2015208219.tif 000012
【図１０】
2015208219.tif 000013
【図１１】
2015208219.tif 000014
【図１２】
2015208219.tif 000015
【図１３】
2015208219.tif 000016
【図１４】
2015208219.tif 000017
【図１５】
2015208219.tif 000018
【図１６】
2015208219.tif 000019
【図１７】
2015208219.tif 000020
【図１８】
2015208219.tif 000021
【図１９】
2015208219.tif 000022
【図２０】
2015208219.tif 000023
【外国語明細書】
2015208219000001.pdf